【事件の表示】
　特願２０１６−　７７５２２号「遊技機」拒絶査定不服審判事件〔平成２９年１０月１９日出願公開、特開２０１７−１８９１８５号〕について、次のとおり審決する。
【結　論】
　本件審判の請求は、成り立たない。
【理　由】
第１　手続の経緯
　本願は、平成２８年４月７日の出願であって、平成２９年２月９日付けで拒絶の理由が通知され、平成２９年４月１７日に意見書及び手続補正書が提出されたところ、平成２９年５月３０日付けで拒絶査定（以下「原査定」という。）がなされ、それに対して、平成２９年９月５日に拒絶査定不服審判の請求がなされると同時に手続補正がなされたものである。
　
第２　平成２９年９月５日付け手続補正についての補正の却下の決定
〔補正の却下の決定の結論〕
　平成２９年９月５日付け手続補正書についての補正（以下「本件補正」という。）を却下する。
　
〔理由〕
１　本件補正の内容
（１）本件補正は、特許請求の範囲についてするものであって、平成２９年４月１７日付け手続補正書によって補正された本件補正前の請求項１に、
「　遊技者が操作可能な操作手段を有する操作ユニットを、遊技機本体に着脱可能に装着した遊技機において、
　前記操作ユニットは、
第
前記操作手段が操作されたことを検出する検出手段と、
前記操作手段を発光させるための発光手段と、
前記操作手段を振動させるための振動手段と、を備え、
　前記遊技機本体は、
第２基板を備え、
　前記第１基
板と
　前記検出手段の検出信号と、前記振動手段の駆動信号と、前記発光手段の制御信号と、を前記ハーネスを介して伝送可能とし、
　前記検出手段と前記発光手段と前記振動手段と、を前記操作ユニットに装着した状態で該操作ユニットを着脱可能に構成
した
　ことを特徴とする遊技機。」とあったものを、
　
「　遊技者が操作可能な操作手段を有する操作ユニットを、遊技機本体に着脱可能に装着した遊技機において、
　前記操作ユニットは、
コネクタを有する第
前記操作手段が操作されたことを検出する検出手段と、
前記操作手段を発光させるための発光手段と、
前記操作手段を振動させるための振動手段と、を備え、
　前記遊技機本体は、
第２基板を備え、
　前記第１基
板の前記コネクタと
　前記検出手段の検出信号と、前記振動手段の駆動信号と、前記発光手段の制御信号と、を前記ハーネスを介して伝送可能とし、
　前記検出手段と前記発光手段と前記振動手段と、を前記操作ユニットに装着した状態で該操作ユニットを着脱可能に構成
し、
　
前記操作ユニットの着脱方向と、前記第１基板の前記コネクタから前記ハーネスを挿脱する挿脱方向とが異なるように構成した
ことを特徴とする遊技機。」とする補正を含むものである（下線は合議体が付した。以下同様。）。
　
（２）本件補正後の請求項１に係る上記（１）の補正は、次の３つの補正事項アないしウからなる。
　ア　本件補正前の請求項１に係る発明を特定するために必要な事項である「第１基板」との記載を「コネクタを有する第１基板」とする補正。
　イ　本件補正前の請求項１に係る発明を特定するために必要な事項である「前記第１基板と前記第２基板とを接続するハーネス」との記載を「前記第１基板の前記コネクタと前記第２基板とを接続するハーネス」とする補正。
　ウ　本件補正前の請求項１に係る発明を特定するために必要な事項である「操作ユニット」及び「コネクタ」について、「前記操作ユニットの着脱方向と、前記第１基板の前記コネクタから前記ハーネスを挿脱する挿脱方向とが異なるように構成した」ものであることを追加する補正
　
２　請求人の主張する補正の根拠
　請求人は、審判請求書の請求の理由において、以下のように補正の根拠を主張している。
「＜１＞補正の根拠の明示 
　・・・略・・・
３）請求項１の「前記操作ユニットの着脱方向と、前記第１基板の前記コネクタから前記ハーネスを挿脱する挿脱方向とが異なるように構成した」の補正事項は、当初特許請求の範囲の請求項３の記載、当初明細書の段落００３９の記載、当初図面の図７の記載に基づくものであります。」
　
３　新規事項の追加
（１）上記１（２）ウの補正に係る本件補正は、「操作ユニット」及び「コネクタ」に関して、「前記操作ユニットの着脱方向と、前記第１基板の前記コネクタから前記ハーネスを挿脱する挿脱方向とが異なるように構成した」としたものである。
　しかしながら、「前記操作ユニットの着脱方向と、前記第１基板の前記コネクタから前記ハーネスを挿脱する挿脱方向とが異なるように構成した」との事項は、本願の願書に最初に添付された特許請求の範囲、明細書又は図面（以下「当初明細書等」という。）に記載されていない。
　
（２）当初明細書等には、次の記載がある。
　ア　「【請求項１】
　遊技者が操作可能な操作手段を有する操作ユニットを、遊技機本体の前側の操作ユニット装着部に着脱自在に装着した
　遊技機において、
　前記操作ユニットに、ユニット側コネクタを備えた中継基板と、該中継基板以外の複数の電子部品とを設け、
　前記複数の電子部品から夫々引き出された複数のユニット側ハーネスを前記中継基板で前記ユニット側コネクタに集約し、該ユニット側コネクタに前記遊技機本体側の本体側ハーネスを接続した
　ことを特徴とする遊技機。
【請求項２】
　前記ユニット側コネクタを１つとした
　ことを特徴とする請求項１に記載の遊技機。
【請求項３】
　前記遊技機本体側に、前記本体側ハーネスを前記操作ユニット装着部に対する前記操作ユニットの着脱方向と異なる方向に案内するハーネス案内部を設けた
　ことを特徴とする請求項１又は２に記載の遊技機。
【請求項４】
　前記複数の電子部品は、前記操作手段が操作されたことを検出するための検出スイッチを含む
　ことを特徴とする請求項１〜３の何れかに記載の遊技機。
【請求項５】
　前記複数の電子部品は、前記操作手段を振動させるための振動手段を含む
　ことを特徴とする請求項１〜４の何れかに記載の遊技機。」
　イ　「【００３９】
　本体側ハーネス７４は、その一端側が扉中継基板６５に接続され、他端側がハーネス通路部材７５内を経てハーネス挿通孔８０から操作ユニット装着部４５側に引き出されており、その他端側に、操作ユニット４４側に接続するための本体側コネクタ７４ａが装着されている。また、例えば扉ベース５１の前面側には、本体側ハーネス７４を案内するためのハーネス案内部８９が設けられている。ハーネス案内部８９は、ハーネス挿通孔８０に対して例えばその後方に設けられており、このハーネス案内部（係止部）８９に本体側ハーネス７４の長手方向所定部位を引っ掛けて（係止して）配線することにより、本体側ハーネス７４の本体側コネクタ７４ａ側が略前後方向に案内されるようになっている。なお、このハーネス案内部８９による本体側ハーネス７４の案内方向（前後方向）は、
操作ユニット４４に対する本体側ハーネス７４の挿脱方向、及び操作ユニット装着部４５に対する操作ユニット４４の着脱方向である上下方向
　・・・略・・・
　【００６５】
　このように、操作ユニット４４上の各種電子部品から夫々引き出された複数のユニット側ハーネスが操作ユニット中継基板１３２で外部接続コネクタ１３５に集約され、その外部接続コネクタ１３５が、扉中継基板６５等を介して演出制御基板１３３等に繋がる本体側ハーネス７４に接続されている。なお、
外部接続コネクタ１３５に対する本体側ハーネス７４の挿脱方向が、操作ユニット装着部４５に対する操作ユニット４４の着脱方向（ここでは略上下方向）と略同じ
　・・・略・・・
　【０１３３】
　実施形態では、
操作ユニット４４を操作ユニット装着部４５に対して
前後方向に着脱
本体側ハーネス７４を外部接続コネクタ１３５に対する挿脱方向（前後方向）
　ウ　「【図７】
　　　・・・略・・・
　　　　【図１８】
　　　　【図１９】
　　　　【図２０】
」
　
（３）上記（２）の記載から、次のア及びイのことが把握できる。
　ア　【００３９】、【０１３３】及び図７の記載から、ハーネス案内部８９による本体側ハーネス７４の案内方向は、操作ユニット４４に対する本体側ハーネス７４の挿脱方向、及び操作ユニット装着部４５に対する操作ユニット４４の着脱方向と異なっていること。
　イ　【００６５】及び図１８ないし図２０の記載から、操作ユニット４４の外部接続コネクタ１３５に対する本体側ハーネス７４の挿脱方向が、操作ユニット装着部４５に対する操作ユニット４４の着脱方向と略同じとなるように、外部接続コネクタ１３５は操作ユニット中継基板１３２の板面に沿って下向きに設けられていること。
　
（４）上記（３）からみて、ハーネス案内部８９による本体側ハーネス７４の案内方向が操作ユニット４４に対する本体側ハーネス７４の挿脱方向、及び操作ユニット装着部４５に対する操作ユニット４４の着脱方向と異なっていることは、当初明細書等の記載から把握できる事項であるが、当初明細書等の記載において、操作ユニット４４の外部接続コネクタ１３５に対する本体側ハーネス７４の挿脱方向が、操作ユニット装着部４５に対する操作ユニット４４の着脱方向と異なることについては記載も示唆もされていないだけでなく自明であるともいえない。
　してみると、「前記操作ユニットの着脱方向と、前記第１基板の前記コネクタから前記ハーネスを挿脱する挿脱方向とが異なるように構成した」との事項を追加する補正は、当初明細書等のすべての記載を総合することにより導かれる技術的事項との関係において、新たな技術的事項を導入しないものでない。
　したがって、上記１（２）とする補正を含む本件補正は、当初明細書の等すべての記載を総合することにより導かれる技術的事項との関係において、新たな技術的事項を導入しないものでないので、当初明細書等に記載した事項の範囲内でなされたものではない。
　
（５）本件補正は、以上のとおり、当初明細書等に記載した事項の範囲内でなされたものではないので、特許法第１７条の２第３項に規定する要件を満たしていない。
４　本件補正の目的
（１）上記１（２）アの補正は、当初明細書等の【００６３】、【００６４】、図７、図１４及び図２０等の記載に基づいて、本件補正前の請求項１において記載されていた「第１基板」が「コネクタを有する」ものに限定するものである。
　
（２）上記１（２）イの補正は、当初明細書等の【００３８】、【００３９】、【００６３】、【００８７】及び図７等の記載に基づいて、本件補正前の請求項１において記載されていた「ハーネス」が「第１基板の前記コネクタと前記第２基板とを接続する」ものに限定するものである。
　
（３）上記１（２）ウの補正は、本件補正前の請求項１において記載されていた「操作ユニット」及び「コネクタ」について、「前記操作ユニットの着脱方向と、前記第１基板の前記コネクタから前記ハーネスを挿脱する挿脱方向とが異なるように構成した」ものに限定するものである。
（４）本件補正後の請求項１に係る本件補正は、上記３のとおり、特許法第１７条の２第３項に規定する要件を満たしていないものであるが、上記（１）ないし（３）のとおり、本件補正前の請求項１に係る発明を特定するために必要な事項を限定する補正であるともいえる。
　そこで、請求項１に係る本件補正が仮に特許法第１７条の２第５項第２号に掲げる特許請求の範囲の減縮を目的とするものであるとして、本件補正後の請求項１に係る発明（以下、「本願補正発明」という。）が、特許出願の際独立して特許を受けることができるものであるか（特許法第１７条の２第６項において準用する同法第１２６条第７項の規定に適合するか）についても、一応以下検討する。
　
５　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＧは、分説するため合議体が付した。
　
「Ａ　遊技者が操作可能な操作手段を有する操作ユニットを、遊技機本体に着脱可能に装着した遊技機において、
　Ｂ　前記操作ユニットは、
　Ｂ−１　コネクタを有する第１基板と、
　Ｂ−２　前記操作手段が操作されたことを検出する検出手段と、
　Ｂ−３　前記操作手段を発光させるための発光手段と、
　Ｂ−４　前記操作手段を振動させるための振動手段と、を備え、
　Ｃ　前記遊技機本体は、
第２基板を備え、
　Ｄ　前記第１基板の前記コネクタと前記第２基板とをハーネスにより接続し、
　前記検出手段の検出信号と、前記振動手段の駆動信号と、前記発光手段の制御信号と、を前記ハーネスを介して伝送可能とし、
　Ｅ　前記検出手段と前記発光手段と前記振動手段と、を前記操作ユニットに装着した状態で該操作ユニットを着脱可能に構成し、
　Ｆ　前記操作ユニットの着脱方向と、前記第１基板の前記コネクタから前記ハーネスを挿脱する挿脱方向とが異なるように構成した
　Ｇ　ことを特徴とする遊技機。」
（２）引用例
　原査定の拒絶の理由に引用文献１として引用され、本願出願前に頒布された刊行物である特開２００８−２３７３５４号公報（以下「引用例」という。）には、次の事項が図とともに記載されている。
　ア　「【技術分野】
【０００１】
　本発明は、ノイズ対策が施されたパチンコ遊技機に関するものである。
【背景技術】
【０００２】
　・・・略・・・
【０００３】
　ところで、近年のパチンコ遊技機では、高級感や華やかさを高めるために扉枠等に装飾メッキが施されている。この装飾メッキは、クロムメッキや硬質金メッキ等の貴金属メッキである。
　・・・略・・・
【発明が解決しようとする課題】
【０００４】
　ところが、貴金属メッキは導電性を有しており、遊技者が扉枠に施された装飾メッキに触れると、遊技者に帯電した静電気が遊技者から装飾メッキに伝わり、その装飾メッキが施された近傍に配置された装飾部材に伝わる。そうすると、装飾部材にはＬＥＤ基板が取り付けられているため、その装飾メッキに伝わった静電気がＬＥＤ基板の表面である部品面に伝わり、この部品面に実装された表面実装タイプの発光ダイオードに伝わりやすくなる。この伝わった静電気がノイズとして、光透過性樹脂で封印された発光素子にリード端子を介して侵入すると、発光素子が破損するおそれがある。
【０００５】
　本発明は、このような事情に鑑みてなされたものであり、その目的とするところは、発光ダイオードの発光素子の破損を防止することができるパチンコ遊技機を提供することにある。
【課題を解決するための手段】
【０００６】
　上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
【０００７】
　（解決手段１）
　遊技球が発射装置により打ち出されて流下する遊技領域が形成された遊技盤と、合成樹脂によって成形され、かつ、前記遊技盤を遊技盤設置凹部に着脱自在に取り付ける本体枠と、合成樹脂によって成形され、かつ、前記本体枠の一側に開閉自在に軸支されて前記遊技盤の遊技領域を視認可能な遊技窓の周囲に光装飾を行う装飾部材が前面側に取り付けられる扉枠と、を備えるパチンコ遊技機であって、前記装飾部材は、少なくとも、表面である部品面に表面実装タイプの発光ダイオードが複数実装されたＬＥＤ基板と、該ＬＥＤ基板の表面である部品面に重なるように配置され、かつ、表裏全面に導電性の装飾メッキが施された装飾枠と、前記ＬＥＤ基板と前記装飾枠との間を所定間隔だけ離して電気的に切り離す非導電性のスペーサと、から構成されることを特徴とするパチンコ遊技機。」
　
　イ　「【発明を実施するための最良の形態】
【００２０】
［１．パチンコ遊技機の全体構造］
　以下、図面を参照して本発明の好適な実施形態について、図面を参照して説明する。まず、図１乃至図５を参照して実施形態に係るパチンコ遊技機の全体について説明する。図１は、実施形態に係るパチンコ遊技機１の外枠２に対して本体枠３を閉塞し、本体枠３に対して扉枠５を開放した状態を示す斜視図であり、図２は、パチンコ遊技機１の正面から見た斜視図であり、図３は、パチンコ遊技機１の正面図であり、図４は、パチンコ遊技機１の背面図であり、図５は、パチンコ遊技機１の平面図である。
【００２１】
　図１及び図２において、本実施形態に係る
パチンコ遊技機１
皿ユニット３００とを備えた扉枠５
　・・・略・・・
【００４５】
［１−２．扉枠］
　・・・略・・・
【００４６】
　図７、図８、図１６及び図１７に示すように、
扉枠５は、方形状に形成される扉枠本体１００の上部に縦長六角形状の遊技窓１０１が形成され、
遊技窓１０１の下方の板状部の前面に扉枠本体１００に皿ユニット３００が設けられ
扉枠５を構成する上記の各構成部材
【００４７】
［１−２−１．扉枠本体］
　図１６及び図１７に示すように、
扉枠本体１００は、合成樹脂によって額縁状に形成され、前述したように上方部に縦長六角形状の遊技窓１０１が形成され、その遊技窓１０１の下方が板状部となっている
　・・・略・・・
【００９１】
［１−２−６．装着台］
　装着台２２０は、図８、図１６、及び図１７に示すように、扉枠本体１００の板部裏面の上半分を覆うように取り付けられるものであり、防犯カバー２１０と同様に透明な合成樹脂によって前方が開放した横長直方体状に形成されるものである。この装着台２２０は、発射レール３８から発射された球をスムーズに遊技盤４に導くために、扉枠５を閉めたときに装着台２２０の後面と板部３２とによって発射レール３８を挟持するように形成されるものであり、このため、装着台２２０の後面に球飛送誘導面２２７が形成されている。ところで、本実施形態に係る装着台２２０には、その軸支側上部に下側補強板金１６４に形成される賞球通過口被覆部の後方突出部を貫通させる賞球通過口用開口２２１が形成され、その開放側下部に球送りユニット２２６を取り付ける球送りユニット取付凹部２２２が形成されている。この球送りユニット取付凹部２２２から斜め方向の領域が前記球飛送誘導面２２７となっている。また、球送りユニット取付凹部２２２に取り付けられる球送りユニット２２６は、発射装置５７の打球杆の往復動差に対応して揺動する球送り部材が設けられ、この球送り部材の揺動動作によって皿ユニット３００の誘導通路部３６２（図３８参照）の流下端にある球を発射レール３８の発射位置に１個ずつ供給するものである。また、装着台２２０の中程下部に後述する側面開口蓋３８３（図３８参照）を取り外す際に指を入れることができる蓋用開口２２３が形成されている。更に、装着台２２０の上辺の一部に垂直に立設される立壁２２４が形成されている。この立壁２２４は、図８に示すように、前記防犯カバー２１０を取り付けたときに、該防犯カバー２１０の前面と当接して防犯カバー２１０の下部が前方に移動しないように規制するためのものである。
　・・・略・・・
【００９４】
［１−２−８．枠装飾中継基板］
　上記した
装着台２２０の下部の軸支側には
枠装飾中継基板２４０が取り付けられ
この枠装飾中継基板２４０は、
操作ボタンユニット３２６
からの配線が
接続され
【００９５】
［１−２−９．皿ユニット］
　次に、図３３乃至図５８を参照して皿ユニット３００の構成について説明する。図３７及び図３８に示すように、
皿ユニット３００は
ユニット枠３０１
から構成されている
【００９６】
　図３３、図３４、図３７、及び図３８に示すように、
ユニット枠３０１は
上面カバー部３０２
が合成樹脂によって一体的に成形されている
【００９７】
　また、
上面カバー部３０２
その前方中央に操作ボタンユニット用凹空間部３０６が形成され
【００９８】
　上記した
操作ボタンユニット用凹空間部３０６には、空間部形成部材３１０が取り付けられ、該空間部形成部材３１０に操作ボタンユニット３２６が装着されるようになっている
操作ボタンユニット３２６を空間部形成部材３１０内に差し込んだときに操作ボタンユニット３２６の底面に設けられるコネクタ３２６ａ
と接続される配線のコネクタ３１０ａを収納する配線収納開口３１０ｂが形成されている
操作ボタンユニット３２６を空間部形成部材３１０に取り付けるためには、コネクタ３１０ａが設けられる配線を引き出して操作ボタンユニット３２６のコネクタ３２６ａと接続した後、操作ボタンユニット３２６を空間部内に挿入しつつ
ネジ３５１をネジ止め部３１１及び固定ネジ穴３２８に螺着することにより取り外しできないように固定する
操作ボタンユニット３２６を取り外す場合には、上記と逆の順序によって行うことができる
この複数の操作ボタン３２７は、
遊技内容に遊技者が参加する際に操作されるものである
　・・・略・・・
【０１１２】
　ところで、第２球抜ユニット３７１の通路主体３７２の奥側側壁に第２球抜通路部３７４と連通する長方形状の側面開口３８２が開設され、該側面開口３８２は、後述するように皿蓋体４３０の開口蓋取付窓４３２に着脱自在に取り付けられる視認窓３８４が形成された側面開口蓋３８３によって閉塞されるようになっている。なお、
皿体３６０の一端部と他端部であって
皿ユニット３００内に設けられる配線を整理するための配線処理用爪３８７が形成されている
　・・・略・・・
【図面の簡単な説明】
【０１３９】
　・・・略・・・
【図５３】
皿ユニットに設けられる操作ボタンユニット
　
　ウ　「【図３７】
　・・・略・・・
【図５３】
　・・・略・・・
【図５８】
」
　エ　【００９８】（上記イ）の記載、及び、皿ユニットに設けられる操作ボタンユニットの斜視図である図５３（上記ウ）の記載から、技術常識に照らせば、
操作ボタンユニット３２６の底面の基板にコネクタ３２６ａを有する
　また、【００９８】（上記イ）、図５３及び図５８（上記ウ）の記載並びに技術常識からみて、
操作ボタンユニット３２６の着脱方向が
扉枠５の上下方向に対し所定の角度で前方に傾いた方向であり、コネクタ３２６ａは、配線を挿脱する挿脱方向が、前記着脱方向と同じ方向か又は前記着脱方向に対して直交する方向
　
　オ　上記アないしエからみて、引用例１には、次の発明が記載されている。なお、ａないしｇについては本願補正発明のＡないしＧに対応させて付与し、引用箇所の段落番号を併記した。
「ａ　皿ユニット３００を備えた扉枠５を含み、遊技内容に遊技者が参加する際に操作される操作ボタンユニット３２６がネジ止めにより取り外し可能に前記皿ユニット３００に設けられる、パチンコ遊技機１であって（【００２１】、【００９５】ないし【００９８】、【０１３９】）、
　ｂ　操作ボタンユニット３２６は、
　ｂ−１　その底面にコネクタ３２６ａを有する基板を備え（【００９８】、上記エ）、
　ｃ　前記扉枠５は、前記扉枠５を構成する扉枠本体１００の下方の板部裏面の上半分を覆うように取り付けられた装着台２２０の下部の軸支側に取り付けられた枠装飾中継基板２４０を備え（【００４６】、【００９４】）、
　ｄ　枠装飾中継基板２４０は、操作ボタンユニット３２６からの配線が接続され（【００９４】）、
　ｅ　操作ボタンユニット３２６がネジ止めにより取り外し可能に前記皿ユニット３００に設けられ（【００９８】）、
　ｆ　操作ボタンユニット３２６の着脱方向が、扉枠５の上下方向に対し所定の角度で前方に傾いた方向であり、コネクタ３２６ａは、配線を挿脱する挿脱方向が、前記着脱方向と同じ方向か又は前記着脱方向に対して直交する方向（上記エ）である、
　ｇ　パチンコ遊技機１。」（以下「引用発明」という。）
（３）対比
　ア　本願補正発明と引用発明とを対比する。なお、以下の見出し（ａ）ないし（ｇ）は、本願補正発明のＡないしＧに対応させている。
　（ａ）引用発明の「遊技内容に遊技者が参加する際に操作される操作ボタンユニット３２６」及び「パチンコ遊技機１」は、それぞれ本願補正発明の「遊技者が操作可能な操作手段を有する操作ユニット」及び「遊技機」に相当する。また、引用発明の「皿ユニット３００を備えた扉枠５」は、その皿ユニット３００に操作ボタンユニット３２６（操作ユニット）が設けられるのであるから、本願補正発明の「遊技機本体」に相当することは明らかである。また、引用発明は、操作ボタンユニット３２６（操作ユニット）がネジ止めにより取り外し可能に皿ユニット３００（遊技機本体）に設けられているから、本願補正発明の「遊技者が操作可能な操作手段を有する操作ユニットを、遊技機本体に着脱可能に装着した」との構成を備えることは明らかである。してみると、引用発明の特定事項ａは、本願補正発明Ａに相当する。
　（ｂ）上記（ａ）、後述する（ｂ−１）及び（ｂ−２）からみて、引用発明の特定事項ｂと、本願補正発明の特定事項Ｂとは、「前記操作ユニットは」、「コネクタを有する第１基板」と、「前記操作手段が操作されたことを検出する検出手段」とを備える点で一致する。
　
　（ｂ−１）引用発明の「コネクタ３２６ａ」及び「基板」は、それぞれ本願補正発明の「コネクタ」及び「第１基板」に相当する。引用発明の特定事項ｂ−１は、操作ボタンユニット３２６（操作ユニット）が、その底面にコネクタ３２６ａ（コネクタ）を有する基板（第１基板）を備えているから、本願補正発明の特定事項Ｂ−１に相当する。
　（ｂ−２）引用発明の操作ボタンユニット３２６は、技術的にみて、操作ボタンを操作したことの検出をする手段を備えることは明らかであるから、引用発明の操作ボタンユニット３２６（操作ユニット）が、本願補正発明の「Ｂ−２　前記操作手段が操作されたことを検出する検出手段」を備えることは明らかである。
　（ｃ）上記（ａ）のとおり、引用発明の「皿ユニット３００を備えた扉枠５」は、本願補正発明の「遊技機本体」に相当する。また、引用発明の「枠装飾中継基板２４０」は、本願補正発明の「第２基板」に相当する。してみると、引用発明の特定事項ｃは、本願補正発明の特定事項Ｃに相当する。
　（ｄ）引用発明は、枠装飾中継基板２４０（第２基板）に、操作ボタンユニット３２６（操作ユニット）からの配線（ハーネス）が接続されているから、本願補正発明の特定事項Ｄの「前記第１基板の前記コネクタと前記第２基板とをハーネスにより接続」したことに相当する構成を備える。また、引用発明の前記配線（ハーネス）が検出手段の検出信号を伝送可能としていることは技術的にみて明らかである。してみると、引用発明の特定事項ｄと、本願補正発明の特定事項Ｄとは、「前記第１基板の前記コネクタと前記第２基板とをハーネスにより接続し、前記検出手段の検出信号を前記ハーネスを介して伝送可能とし」ている点で一致する。
　（ｅ）上記（ａ）と同様に、引用発明の操作ボタンユニット３２６（操作ユニット）が着脱自在に構成されているとともに、着脱する際に、検出手段が操作ボタンユニット３２６に装着されていることは自明であるから、引用発明の特定事項ｅと、本願補正発明の特定事項Ｅとは、「前記検出手段を前記操作ユニットに装着した状態で操作ユニットを着脱可能に構成し」ている点で一致する。
　（ｇ）上記（ａ）のとおり、引用発明の「パチンコ遊技機１」は、本願補正発明の「遊技機」に相当する。
　イ　上記アからみて、本願補正発明と引用発明とは、
「Ａ　遊技者が操作可能な操作手段を有する操作ユニットを、遊技機本体に着脱可能に装着した遊技機において、
　Ｂ’　前記操作ユニットは、
　Ｂ−１　コネクタを有する第１基板と、
　Ｂ−２　前記操作手段が操作されたことを検出する検出手段と、
　を備え、
　Ｃ　前記遊技機本体は、
第２基板を備え、
　Ｄ’　前記第１基板の前記コネクタと前記第２基板とをハーネスにより接続し、前記検出手段の検出信号を前記ハーネスを介して伝送可能とし、
　Ｅ’前記検出手段を前記操作ユニットに装着した状態で該操作ユニットを着脱可能に構成し、
　Ｇ　遊技機。」である点で一致し、次の点で相違する。
　・相違点１（特定事項Ｂ−３、Ｂ−４）
　「操作ユニット」が、
　本願補正発明では、「前記操作手段を発光させるための発光手段」と、「前記操作手段を振動させるための振動手段」とを備えているのに対し、
　引用発明では、発光手段と振動手段を備えていない点。
　・相違点２（特定事項Ｅ）
　「操作ユニットを着脱可能に構成し」ているのが、
　本願補正発明では、「前記検出手段と前記発光手段と前記振動手段と、を前記操作ユニットに装着した状態で」であるのに対し、
　引用発明では、そのような特定がない点。
　・相違点３（特定事項Ｄ）
　「ハーネスを介して伝送可能」としているのが、
　本願補正発明では、「前記振動手段の駆動信号と、前記発光手段の制御信号」であるのに対し、
　引用発明では、そのような特定がない点
　・相違点４（特定事項Ｆ）
　本願補正発明では、「前記操作ユニットの着脱方向と、前記第１基板の前記コネクタから前記ハーネスを挿脱する挿脱方向とが異なるように構成した」のに対し、
　引用発明では、操作ボタンユニット３２６（操作ユニット）の着脱方向と基板のコネクタ３２６ａから配線を挿脱する方向とが異なるかどうか明らかでない点。
（４）判断
　ア　相違点１ないし３について、まとめて検討する。
　（ア）遊技機における演出ボタンユニットに、ボタンを発光させるためのＬＥＤと、ボタンを振動させるための振動手段を備えることは周知（以下「周知技術１」という。例．原査定の拒絶の理由で引用した特開２０１５−２２３４８６号公報（【０００１】、【００４２】、【００４３】、【００５３】、【００６８】、図５、図６の記載参照。）、特開２０１６−４１１７１号公報（【０００１】、【００５３】、図５の記載参照。））である。
　引用発明のように、遊技者が操作する操作ボタンユニットを遊技機に備えた当業者であれば、上記周知技術１を当然心得ているものである。そうすると、引用発明において、操作ボタンユニット（操作ユニット）に、ボタンを発光させるための発光手段と、ボタンを振動させるための振動手段とを備えるようになすことは、当業者が周知技術１に基づいて適宜なし得たことである。
　（イ）上記（ア）のように、引用発明の操作ボタンユニット（操作ユニット）に発光手段と振動手段とを備えるのであれば、操作ボタンユニット（操作ユニット）を着脱可能に構成するのが、「発光手段と振動手段を操作ボタンユニット（操作ユニット）に装着した状態で」であるとすることは当業者に自明である。
　（ウ）上記（ア）のように、引用発明の操作ボタンユニット（操作ユニット）に発光手段と振動手段とを備えるのであれば、前記発光手段の発光とその制御を行うとともに、前記振動手段の振動とその制御を行うことは技術的に明らかであり、操作ボタンユニットに対し、発光手段及び振動手段の駆動・制御を行うための信号を配線（ハーネス）を介して伝送することも当業者に自明である。
　（エ）以上のとおり、引用発明において、上記相違点１ないし３に係る本願補正発明の構成となすことは当業者が周知技術１に基づいて適宜なし得たことである。
　イ　相違点４について検討する。
　（ア）遊技機において、操作ボタンユニットの着脱方向と、該操作ボタンユニットに設けられたコネクタからハーネスを挿脱する挿脱方向とが異なることは周知（以下「周知技術２」という。例．特開２０１３−７０７４６号公報（【０００１】、【００４５】、【００４６】、図７、図８の記載参照。）、特開２００８−１４９０５５号公報（【０００１】、【００６９】ないし【００７２】、図２１の記載参照。）、特開２０１０−９９３９９号公報（【０００１】、【０１００】ないし【０１０２】、図１０ないし図１２の記載参照。））である。
　（イ）引用発明のコネクタ３２６ａは、配線を挿脱する挿脱方向が、操作ボタンユニット３２６の着脱方向と同じ方向であるか、前記着脱方向と異なる方向であるかは特定できないが、上記周知技術２に接した当業者であれば、コネクタ３２６ａの配線を挿脱する挿脱方向を操作ボタンユニット３２６の着脱方向と異なる方向となすこと、すなわち、引用発明において、上記相違点４に係る本願補正発明の構成となすことは、当業者が適宜なし得たことである。
　ウ　本願補正発明の奏する効果は、引用発明の奏する効果の奏する効果、周知技術１の奏する効果及び周知技術２の奏する効果から予測することができた程度のものである。
　エ　審判請求人の主張について
　（ア）審判請求人は、審判請求書において、「＜３＞本願発明と引用文献１に記載の発明との対比　・・・　５）何故ならば、引用文献１に記載の発明は、コネクタ３１０ａ側から配線収納開口３１０ｂの開口縁に至る配線を、操作ボタンユニット３２６のコネクタ３２６ａに対してコネクタ３１０ａを挿脱する挿脱方向に沿って案内するため、操作ボタンユニット３２６の着脱時にコネクタ３１０ａ，３２６ａが外れ易くなる欠点があります。　このような引用文献１に記載の発明が有する問題点を解消するのが本願発明であります。本願発明は、操作ユニットの着脱方向と、第１基板のコネクタか　らハーネスを挿脱する挿脱方向とが異なるように構成しているため、操作ユニットの着脱時のコネクタの不測の外れを防止できる利点があります。」と、概略主張している。
　（イ）しかしながら、上記イのとおり、操作ユニットの着脱方向と、第１基板のコネクタからハーネスを挿脱する挿脱方向とが異なることは周知技術であり、当該周知技術を引用発明に適用した際に、操作ユニットの着脱時のコネクタの不測の外れを防止できるという効果は当業者が予測可能なものである。
　
（５）独立特許要件のむすび
　以上のとおりであるから、本願補正発明は、当業者が引用例１に記載された発明、周知技術１及び周知技術２に基づいて容易に発明をすることができたものである。
　よって、本願補正発明は、特許法第２９条第２項の規定により特許出願の際独立して特許を受けることができないものである。
　
６　小括
　本件補正は、上記３のとおり、特許法第１７条の２第３項の規定に違反するものであるから、同法第１５９条第１項において読み替えて準用する同法第５３条第１項の規定により却下すべきものである。
　また、仮に本件補正が特許法第１７条の２第３項の規定に違反しないものだとしても、本願補正発明は、上記５のとおり、特許出願の際独立して特許を受けることができないものであるから、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明は、平成２９年４月１７日付けで補正された特許請求の範囲の請求項１に記載された事項によって特定されるものであるところ、請求項１に係る発明は、上記第２〔理由〕１（１）に本件補正前の請求項１として記載したとおりのものである。
　
２　原査定の理由の概略
　この出願の平成２９年４月１７日付けの手続補正書により補正された請求項１に係る発明は、その出願前に日本国内又は外国において頒布され又は電気通信回線を通じて公衆に利用可能となった下記引用文献に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１．特開２００８−２３７３５４号公報
　引用文献２．特開２０１１−２４５１０６号公報（周知技術を示す文献）
　引用文献３．特開２０１５−２２３４８６号公報（周知技術を示す文献）
　引用文献４．特開２０１５−２０８４０３号公報（周知技術を示す文献）
　操作ユニットが、操作手段を振動させる振動手段を有する点は、引用文献２（特に段落［０１３０］参照）及び引用文献３（特に段落［００４２］参照）に記載されているように周知技術であり、また、操作ユニットが、発光手段を発光させるための発光手段を有する点は、引用文献４（特に段落［００２１］参照）に記載されているように周知技術であるから、引用文献１に記載された発明にこれらの周知技術を適用して、操作ボタンユニット３２６が、発光手段及び振動手段を備えるすることは当業者であれば容易に想到できたものである。
　コネクタを基板に配置する点は、例示するまでも無く周知の技術であるから、引用文献１に記載された発明に当該周知技術を適用して、コネクタ３１０ａに接続されるコネクタ３２６ａを基板（「第１基板」に相当）に配置して、当該基板と枠装飾中継基板２４０とを上記配線で接続することは、当業者ならば容易に想到することができたものであるし、その際、上記配線を介して、検出手段の検出信号と、振動手段の駆動信号と、発光手段の制御信号と、を伝送するように構成することに格別の困難性は認められない。
３　引用文献
（１）引用文献１（引用例）の記載事項は、上記第２〔理由〕３（２）に記載したとおりである。
　
４　対比・判断
　本願発明は、上記「第２〔理由〕１（２）」で検討した本願補正発明から、「前記操作ユニットの着脱方向と、前記第１基板の前記コネクタから前記ハーネスを挿脱する挿脱方向とが異なるように構成した」に係る限定事項及び「第１基板」における「コネクタ」に係る限定事項を削除したものである。
　そうすると、本願発明と引用発明とは、上記「第２〔理由〕５（３）イ」に記載した相違点１ないし３でのみ相違する。
　そして、上記「第２〔理由〕５（４）」に記載したとおり、引用発明において、相違点１ないし３に係る本願補正発明の構成となすことは、当業者が周知技術１に基づいて適宜なし得たものであるから、本願発明も同様に、当業者が引用例に記載された発明及び周知技術１に基づいて容易に発明をすることができたものである。
　
５　むすび
　本願発明は、以上のとおり、当業者が引用文献１に記載された発明及び周知技術１に基づいて容易に発明をすることができたものであるから、特許法第２９条第２項の規定により特許を受けることができない。
　したがって、本願は、拒絶すべきものである。
　よって、結論のとおり審決する。